(57)【要約】【課題】住宅の床下のカビなどの発生を抑制できる給水装置を提供する。【解決手段】給水装置１は上水道１１から水が供給されるヘッダー１２，１４とヘッダー１２，１４からの水をキッチン３などに供給する複数の給水管１３，１５とイオン発生機２８を備えている。ヘッダー１２，１４と複数の給水管１３，１５とイオン発生機２８などは床下に設けられている。ヘッダー１２，１４には発電機２７が設けられている。発電機２７はヘッダー１２，１４内の水の流れにより発電する。発電機２７は発電して得た電力をイオン発生機２８に供給する。イオン発生機２８は発電機２７から電力が供給されると負の大気イオンを発生する。イオン発生機２８は周り即ち床下に発生して得た負の大気イオンを散布する。【選択図】図１
2013036289.tif 000002
【特許請求の範囲】
【請求項１】
給水源に接続して、この給水源から水が供給されるヘッダーと、
前記ヘッダーに一端が接続されかつ他端が住宅内に設置された住宅設備機器に接続して、前記ヘッダーからの水を前記住宅設備機器に供給する複数の給水管と、を備えた給水装置において、
前記ヘッダーと前記複数の給水管のうち少なくとも一つに設けられかつこの少なくとも一つに流れる水により発電する発電機と、
前記住宅の床下に設けられ、かつ前記発電機が発電した電力により負の大気イオンを発生して、この負の大気イオンを散布するイオン発生機とを、備える、
ことを特徴とする給水装置。
【発明の詳細な説明】
【技術分野】
【０００１】
本発明は、給水源からの水を一旦ヘッダーに蓄えてから、このヘッダーから住宅内の住宅設備機器に水などを供給する給水装置に関する。
【背景技術】
【０００２】
住宅では、給水源からの水を一旦ヘッダーに供給してから、このヘッダーから住宅内の住宅設備機器に水などを供給する給水装置（例えば、特許文献１参照）が用いられている。この種の給水装置は、前述したヘッダーと、複数の給水管とを備えている。ヘッダー及び給水管は、主に住宅の床下に配置されている。ヘッダーは、給水源からの水を複数の給水管へ分配させる容器である。給水管は、住宅内に設置される住宅設備機器と１対１で対応している。給水管は、一端がヘッダーに接続しかつ他端が対応する住宅設備機器に接続して、ヘッダーに供給された水を住宅設備機器に供給する。
【先行技術文献】
【特許文献】
【０００３】
【特許文献１】特開２００２−１２９６０５号公報
【発明の概要】
【発明が解決しようとする課題】
【０００４】
しかしながら、前述した給水装置は、ヘッダーや給水管が床下に設けられるために、床下の湿度などを上昇させ、カビなどの発生の原因となって望ましくない。
【０００５】
本発明は、上記の事情に鑑みてなされたものであって、住宅の床下のカビなどの発生を抑制できる給水装置を提供することを目的とする。
【課題を解決するための手段】
【０００６】
上記目的を達成するために、本発明に係る給水装置は、給水源に接続して、この給水源から水が供給されるヘッダーと、前記ヘッダーに一端が接続されかつ他端が住宅内に設置された住宅設備機器に接続して、前記ヘッダーからの水を前記住宅設備機器に供給する複数の給水管と、を備えた給水装置において、前記ヘッダーと前記複数の給水管のうち少なくとも一つに設けられかつこの少なくとも一つに流れる水により発電する発電機と、前記住宅の床下に設けられ、かつ前記発電機が発電した電力により負の大気イオンを発生して、この負の大気イオンを散布するイオン発生機とを、備える、ことを特徴とする。
【０００７】
この給水装置では、床下に負の大気イオン（所謂マイナスイオン）を発生するイオン発生機を設けているので、床下の湿度が上昇しても、床下にカビなどが発生することを抑制できる。また、ヘッダーと複数の給水管のうちの少なくとも一つに設けられた発電機により発電した電力を床下に設けられたイオン発生機に供給するので、イオン発生機に確実に電力を供給でき、カビなどの発生を確実に抑制できるとともに、イオン発生機に電力を供給するための工事を簡便に行なうことができる。また、発電機がヘッダーと複数の給水管のうちの少なくとも一つを流れる水により発電するので、外部の電力をイオン発生機に供給する必要がなく、イオン発生機に電力を供給するための工事をより簡便に行なうことができるとともに、省エネルギーにも貢献することができる。
【発明の効果】
【０００８】
本発明に係る給水装置は、床下に設けたイオン発生機をヘッダーや給水管に設けられた発電機により発生させた電力により駆動するので、簡便な工事により床下のカビなどの発生を抑制できるとともに、省エネルギにも貢献することができる。
【図面の簡単な説明】
【０００９】
【図１】図１は、実施形態に係る給水装置を示す概略構成図である。
【図２】図２は、実施形態に係る給水装置の冷水用ヘッダーなどを示す概略構成図である。
【図３】図３は、実施形態に係る給水装置の給水管を示す斜視図である。
【図４】図４は、図３中のＩＶ−ＩＶ線に沿う断面図である。
【発明を実施するための形態】
【００１０】
以下に、本発明に係る給水装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１１】
図１は、実施形態に係る給水装置を示す概略構成図、図２は、実施形態に係る給水装置の冷水用ヘッダーなどを示す概略構成図、図３は、実施形態に係る給水装置の給水管を示す斜視図、図４は、図３中のＩＶ−ＩＶ線に沿う断面図である。
【００１２】
図１などに示す実施形態の給水装置１は、典型的には、住宅に設置される住宅設備機器に水（本明細書では、水や温水などを含んで、これらを包括して水と記す）を供給し、かつ、住宅設備機器の情報をサーバーに収集するシステムであるとともに、住宅の床下に負の大気イオン（所謂、マイナスイオンともいう）を散布する。なお、負の大気イオンとは、空気（あるいは、雰囲気ともいう）中の原子や分子が電子を得て、マイナスに帯電したものをいう。また、本発明でいう住宅設備機器とは、勿論、住宅内に設置されて、この住宅の給水にかかる各種の給水機器などの設備機器をいい、具体的には、トイレ、トイレ手洗、洗面化粧台、浴槽、キッチン、給湯機器、水栓装置などをいう。
【００１３】
図１には、前述した住宅設備機器として、キッチン３、洗面化粧台４、浴槽５、トイレ６、水栓装置１０を示している。キッチン３の水栓装置７、洗面化粧台４の水栓装置８、浴槽５の水栓装置９には、給水源としての上水道１１からの水が給湯器２により所望の温度まで加熱されて、湯として供給される。また、キッチン３の水栓装置７、洗面化粧台４の水栓装置８、浴槽５の水栓装置９、トイレ６の水栓装置、水栓装置１０には、上水道１１からの水が加熱などされることなく供給される。
【００１４】
キッチン３、洗面化粧台４、浴槽５には、それぞれ、後述する給水管１３，１５を通して供給される水の流量を検出する流量計１６と、給水管１３，１５を通して供給される水の温度を検出する温度計１７とが設けられている。さらに、トイレ６、水栓装置１０には、それぞれ、給水管１５を通して供給される水の流量を検出する流量計１６と、給水管１５を通して供給される水の温度を検出する温度計１７とが設けられている。なお、これらの流量計１６及び温度計１７は、住宅内に設置される機器をなしている。
【００１５】
また、トイレ６の水栓装置、水栓装置１０には、図示しない流量制御弁が取り付けられているとともに、キッチン３の水栓装置７、洗面化粧台４の水栓装置８、浴槽５の水栓装置９には、図示しない湯水混合弁が取り付けられている。流量制御弁は、トイレ６の水栓装置や水栓装置１０から吐水される水の単位時間当たりの流量を変更・制御する。湯水混合弁は、水栓装置７，８，９から吐水される水の混合比率及びこれらの単位時間当たりの流量を変更・制御する。さらに、トイレ６には、便座を暖める暖房機器が取り付けられている。これらの流量制御弁及び湯水混合弁は、所謂電動弁であって、住宅内に設置される機器をなしているとともに、暖房機器は、住宅内に設置される機器をなしている。
【００１６】
給水装置１は、前述したキッチン３の水栓装置７、洗面化粧台４の水栓装置８、浴槽５の水栓装置９、トイレ６、水栓装置１０に水を供給する給水管１３，１５内を通る水などが消費したエネルギーの値、トイレ６の暖房機器の消費電力即ちキッチン３、洗面化粧台４、浴槽５、トイレ６、水栓装置１０のエネルギー消費量を収集するとともに、これらのエネルギー消費量を最小限とするために、流量制御弁、湯水混合弁及び暖房機器の動作を制御し、さらに、住宅の床下に負の大気イオン（所謂、マイナスイオンともいう）を散布する。
【００１７】
給水装置１は、図１及び図２に示すように、温水用ヘッダー１２と、温水用ヘッダー１２に接続した複数の給水管１３と、冷水用ヘッダー１４と、冷水用ヘッダー１４に接続した複数の給水管１５と、サーバー１８と、表示端末１９と、イオン発生機２８とを備えている。なお、温水用ヘッダー１２と冷水用ヘッダー１４は、前述した水を蓄えることが可能な互いに別体の容器であって、勿論、ヘッダーをなしている。
【００１８】
温水用ヘッダー１２には、上水道１１から供給されかつ給湯器２により所望の温度まで加熱された水が供給される。温水用ヘッダー１２は、給湯器２からの水を一旦蓄える。給水管１３は、それぞれ、勿論、キッチン３の水栓装置７、洗面化粧台４の水栓装置８、浴槽５の水栓装置９と１対１で対応しており、一端が温水用ヘッダー１２に接続しかつ他端がキッチン３の水栓装置７、洗面化粧台４の水栓装置８、浴槽５の水栓装置９のいずれかに接続している。給水管１３は、一端が温水用ヘッダー１２に接続しかつ他端がキッチン３の水栓装置７、洗面化粧台４の水栓装置８、浴槽５の水栓装置９のいずれかに接続していることで、温水用ヘッダー１２から住宅の四方八方に延びている。給水管１３の一端には、温水用ヘッダー１２に接続する接続具１３ａが取り付けられている。なお、給水管１３の詳細な構成は、後ほど説明する。
【００１９】
温水用ヘッダー１２は、上水道１１から供給されかつ給湯器２により所望の温度まで加熱された水を、給水管１３を通して、キッチン３の水栓装置７、洗面化粧台４の水栓装置８、浴槽５の水栓装置９に供給する。また、温水用ヘッダー１２は、送受信機２０が取り付けられている。送受信機２０は、給水管１３の一端における後述する内側金属部２３と外側金属部２５に接続している。送受信機２０は、キッチン３、洗面化粧台４及び浴槽５の流量計１６が検出した単位時間当たりの流量を示す流量情報及び温度計１７が検出した温度を示す温度情報を、サーバー１８に接続した送受信機２１に向かって送信する。また、送受信機２１は、サーバー１８に接続した送受信機２０が送信したキッチン３、洗面化粧台４及び浴槽５の湯水混合弁の制御信号を受信する。
【００２０】
冷水用ヘッダー１４には、上水道１１からの水が直接供給される。冷水用ヘッダー１４は、上水道１１からの水を一旦蓄える。給水管１５は、それぞれ、勿論、キッチン３の水栓装置７、洗面化粧台４の水栓装置８、浴槽５の水栓装置９、トイレ６、水栓装置１０と１対１で対応しており、一端が冷水用ヘッダー１４に接続しかつ他端がキッチン３の水栓装置７、洗面化粧台４の水栓装置８、浴槽５の水栓装置９、トイレ６、水栓装置１０のいずれかに接続している。給水管１５は、一端が冷水用ヘッダー１４に接続しかつ他端がキッチン３の水栓装置７、洗面化粧台４の水栓装置８、浴槽５の水栓装置９、トイレ６、水栓装置１０のいずれかに接続していることで、冷水用ヘッダー１４から住宅の四方八方に延びている。給水管１５の一端には、冷水用ヘッダー１４に接続する接続具１５ａが取り付けられている。なお、給水管１５の詳細な構成は、後ほど説明する。
【００２１】
冷水用ヘッダー１４は、上水道１１から供給された水を、給水管１５を通して、キッチン３の水栓装置７、洗面化粧台４の水栓装置８、浴槽５の水栓装置９、トイレ６、水栓装置１０に供給する。また、冷水用ヘッダー１４は、送受信機２０が取り付けられている。送受信機２０は、給水管１５の一端における内側金属部２３と外側金属部２５に接続している。送受信機２０は、キッチン３、洗面化粧台４、浴槽５、トイレ６及び水栓装置１０の流量計１６が検出した単位時間当たりの流量を示す流量情報、温度計１７が検出した温度を示す温度情報及びトイレ６の暖房機器の消費電力を示す消費電力情報を、サーバー１８に接続した送受信機２１に向かって送信する。また、送受信機２０は、サーバー１８に接続した送受信機２１が送信したトイレ６の水栓装置、暖房機器及び水栓装置１０の流量制御弁の制御信号を受信する。
【００２２】
給水管１３，１５は、図３及び図４に示すように、塩化ビニルなどの絶縁性の合成樹脂で構成された導水管２２と、導電性の金属で構成されかつ導水管２２の周りを被覆した内側金属部２３と、絶縁性の合成樹脂で構成されかつ内側金属部２３の周りを被覆した絶縁部としての断熱層２４と、導電性の金属で構成されかつ断熱層２４の周りを被覆した外側金属部２５とを備えている。導水管２２は、内側に前述したヘッダー１２，１４からの水を通して、これらの水を水栓装置７，８，９，１０まで導く。即ち、内側金属部２３は、導水管２２を介して内側に前述したヘッダー１２，１４からの水を通す円筒状に形成されている。
【００２３】
内側金属部２３と外側金属部２５は、断熱層２４により互いに電気的に絶縁されており、給水管１３，１５の一端では、送受信機２０，２１を介して、サーバー１８に電気的に接続している。内側金属部２３と外側金属部２５は、給水管１３，１５の他端では、前述した流量計１６、温度計１７、流量制御弁、湯水混合弁及び暖房機器に電気的に接続している。こうして、給水管１３，１５は、前述した流量計１６、温度計１７、流量制御弁、湯水混合弁及び暖房機器と、サーバー１８とを電気的に接続して、これらの間での情報（データ）の通信を可能としている。
【００２４】
給水管１３，１５は、内側金属部２３及び外側金属部２５が、流量計１６が検出した給水管１３，１５内の水の単位時間当たりの流量を示す流量情報、給水管１３，１５内の水の温度を示す温度情報、トイレ６の暖房機器の消費電力を示す消費電力情報をサーバー１８に導く。また、給水管１３，１５は、内側金属部２３及び外側金属部２５が、サーバー１８からの流量制御弁、湯水混合弁及び暖房機器への制御信号をこれらの流量制御弁、湯水混合弁及び暖房機器に導く。
【００２５】
また、給水管１３，１５は、絶縁性の合成樹脂で構成されて、可撓性を有する円筒状の保護部材２６（図３及び図４などに示す）内に通されて、保護されている。さらに、ヘッダー１２，１４及び給水管１３，１５は、前述した住宅の床下に配置されている。
【００２６】
また、実施形態では、図１及び図２に示すように、前述したヘッダー１２，１４と給水管１３，１５のうちのヘッダー１２，１４には、それぞれ、発電機２７が設けられている。発電機２７は、ヘッダー１２，１４の内側でかつ上水道１１や給湯器２から供給される水が衝突する羽根車と、この羽部車に設けられた図示しないロータと、ヘッダー１２，１４の外壁などに固定された図示しないステータとを備えている。羽根車は、ヘッダー１２，１４内に回転自在に設けられており、ヘッダー１２，１４内の水の流れによって回転する。即ち、羽根車は、上水道１１や給湯器２から各給水管１３，１５に向かう水の流れによって回転する。ロータは、羽根車に取り付けられて、この羽根車とともにステータに対して回転する。発電機２７は、羽根車が前述した水の流れによって回転して、ロータがステータに対して回転することで、発電する。こうして、発電機２７は、ヘッダー１２，１４を流れる水の流れにより発電する。発電機２７は、ヘッダー１２，１４の水の流れにより羽根車が回転して、発電し、発電して得た電力をイオン発生機２８に供給する。
【００２７】
サーバー１８は、住宅の適宜箇所に設置されている。サーバー１８には、送受信機２１が接続している。このため、サーバー１８は、送受信機２０，２１を介して、給水管１３，１５の一端における内側金属部２３及び外側金属部２５が電気的に接続している。サーバー１８は、送受信機２１が受信した給水管１３，１５内の水の単位時間当たりの流量を示す流量情報及び給水管１３，１５内の水の温度を示す温度情報、トイレ６の暖房機器の消費電力を示す消費電力情報及びこれらを受信した時間などに基いて、キッチン３、洗面化粧台４、浴槽５、トイレ６及び水栓装置１０のエネルギー消費量を算出して、温度情報、流量情報、消費電力情報、エネルギー消費量を時間とともに記憶する。即ち、サーバー１８は、状態情報としての温度情報、流量情報、消費電力情報に関する情報を記憶する。また、サーバー１８は、エネルギー消費量に関する情報を記憶する。
【００２８】
また、サーバー１８は、流量情報、温度情報、消費電力情報及びエネルギー消費量などに基いて、エネルギー消費量が最小となる流量制御弁及び湯水混合弁の開度、トイレ６の暖房機器の運転状況を算出する。そして、サーバー１８は、算出した開度、運転状況を示す制御信号を送受信機２０，２１及び給水管１３，１５を介して、流量制御弁、湯水混合弁及びトイレ６の暖房機器に向かって出力する。こうして、サーバー１８は、エネルギー消費量が最小となるように、キッチン３、洗面化粧台４、浴槽５、トイレ６及び水栓装置１０を制御する。なお、サーバー１８は、住宅内に設置される機器をなしている。
【００２９】
表示端末１９は、住宅の適宜箇所に設置されている。表示端末１９は、キッチン３、洗面化粧台４、浴槽５、トイレ６及び水栓装置１０のエネルギー消費量、流量制御弁、湯水混合弁の開度及びトイレ６の暖房機器の運転状況などを表示する。
【００３０】
イオン発生機２８は、住宅の床下に設けられている。実施形態では、イオン発生機２８は、ヘッダー１２，１４それぞれに取り付けられている。イオン発生機２８は、発電機２７から電力が供給されると、前述した負の大気イオンを発生して、この大気イオンをヘッダー１２，１４の周り即ち床下に散布する。
【００３１】
前述した給水装置１は、上水道１１からの水を給湯器２で所望の温度まで加熱して、温水用ヘッダー１２及び給水管１３を介して、キッチン３、洗面化粧台４及び浴槽５に供給するとともに、上水道１１からの水を加熱することなく、冷水用ヘッダー１４及び給水管１５を介して、キッチン３、洗面化粧台４、浴槽５、トイレ６及び水栓装置１０に供給する。給水装置１は、湯水混合弁、流量制御弁の開度が変更されて、キッチン３の水栓装置７、洗面化粧台４の水栓装置８、浴槽５の水栓装置９、トイレ６の水栓装置及び水栓装置１０から水を吐水又は止水する。
【００３２】
また、給水装置１は、給水管１３，１５内の水などの状態を示す流量情報、温度情報及びトイレ６の暖房装置の消費電力情報を給水管１３，１５、送受信機２０，２１などを介してサーバー１８が受信する。給水装置１は、サーバー１８が、キッチン３、洗面化粧台４、浴槽５、トイレ６及び水栓装置１０のエネルギー消費量などを算出して、算出したエネルギー消費量などを記憶する。さらに、サーバー１８が、エネルギー消費量が最小となる流量制御弁、湯水混合弁の開度及びトイレ６の暖房機器の運転状況を算出して、これらの開度、運転状況を示す情報を送受信機２０，２１及び給水管１３，１５を介して、キッチン３、洗面化粧台４、浴槽５、トイレ６や水栓装置１０に向かって送信する。そして、サーバー１８が、エネルギー消費量が最小となるように、キッチン３、洗面化粧台４、浴槽５、トイレ６や水栓装置１０などを制御する。
【００３３】
さらに、給水装置１は、ヘッダー１２，１４内の水の流れにより羽根車が回転するなどして発電機２７が発電すると、イオン発生機２８がヘッダー１２，１４の周り即ち床下に負の大気イオンを散布する。
【００３４】
上記のように構成された給水装置１は、床下に負の大気イオン（所謂マイナスイオン）を発生するイオン発生機２８を設けているので、床下の湿度が上昇しても、床下にカビなどが発生することを抑制できる。また、ヘッダー１２，１４それぞれに設けられた発電機２７により発電した電力を床下に設けられたイオン発生機２８に供給するので、イオン発生機２８に確実に電力を供給でき、カビなどの発生を確実に抑制できるとともに、イオン発生機２８に電力を供給するための工事を簡便に行なうことができる。また、給水装置１は、発電機２７がヘッダー１２，１４内を流れる水により発電するので、外部の電力をイオン発生機２８に供給する必要がなく、イオン発生機２８に電力を供給するための工事をより簡便に行なうことができるとともに、省エネルギにも貢献することができる。
【００３５】
また、給水装置１は、給水管１３，１５の互いに絶縁された内側金属部２３と外側金属部２５が住宅内に設置される機器としての流量計１６、温度計１７、流量制御弁、湯水混合弁、暖房機器やサーバー１８などに電気的に接続している。このために、ヘッダー１２，１４から住宅の四方八方に延びた給水管１３，１５により住宅内の前述した機器同士を電気的に接続することができる。したがって、住宅内の四方八方に互いに離間して配置される前述した機器同士を給水管１３，１５により互いに電気的に接続でき、住宅内における前述した機器同士の通信のし易さの斑を抑制することができる。
【００３６】
したがって、流量計１６及び温度計１７が検出した流量情報及び温度情報、トイレの暖房機器の消費電力情報をサーバー１８が確実に得ることができ、エネルギー消費量が最小となるように、キッチン３、洗面化粧台４、浴槽５、トイレ６などを制御することができる。
【００３７】
前述した実施形態では、ヘッダー１２，１４それぞれに発電機２７とイオン発生機２８を設けている。しかしながら、本発明では、発電機２７をいずれかの給水管１３，１５に設けても良い。要するに、本発明では、ヘッダー１２，１４と給水管１３，１５のうちの少なくとも一つに発電機を設ければよい。また、本発明では、イオン発生機２８をヘッダー１２，１４や給水管１３，１５に取り付ける必要がないとともに、イオン発生機２８を少なくとも一つ以上、床下に設ければよい。
【００３８】
なお、上述した本発明の実施形態に係る給水装置１は、上述した実施形態に限定されず、特許請求の範囲に記載された範囲で種々の変更が可能である。
【符号の説明】
【００３９】
１  給水装置
３  キッチン（住宅設備機器）
４  洗面化粧台（住宅設備機器）
５  浴槽（住宅設備機器）
６  トイレ（住宅設備機器）
１０  水栓装置（住宅設備機器）
１１  上水道（給水源）
１２  温水用ヘッダー（ヘッダー）
１３，１５  給水管
１４  冷水用ヘッダー（ヘッダー）
２７  発電機
２８  イオン発生機
【図１】
2013036289.tif 000003
【図２】
2013036289.tif 000004
【図３】
2013036289.tif 000005
【図４】
2013036289.tif 000006